(57)【要約】【課題】  静電容量成分が小さく、高速の信号ラインに適応可能なＬＣ複合フィルタ部品を提供すること。【解決手段】  複数の絶縁材料を積層して構成された積層体１０と、積層体１０の外面に形成された一対の信号端子電極及び一対のアース端子電極とを備え、積層体１０の内部に、信号コイル導体４１と、信号コイル導体４１と離間して配置された浮きコイル導体４２と、浮きコイル導体４２と離間して配置されたアース導体３８が備えられ、信号コイル導体４１と浮きコイル導体４２との間の静電容量による第１キャパシタ部が形成され、浮きコイル導体４２とアース導体３８との間の静電容量による第２キャパシタ部が形成されていることを特徴とする。【選択図】  図１
2005260343.tif 000002
【特許請求の範囲】
【請求項１】
複数の絶縁材料を積層して構成された積層体と、
該積層体の外面に形成された一対の信号端子電極及び一対のアース端子電極とを備え、
前記積層体の内部に、前記複数の絶縁材料の表面に形成された導体コイルパターンによって構成されて両端が前記一対の信号端子電極にそれぞれ接続するコイル導体である信号コイル導体と、
前記複数の絶縁材料の表面に形成された導体コイルパターンによって構成されて前記信号コイル導体と離間して配置された浮きコイル導体と、
前記絶縁材料の表面に形成され前記浮きコイル導体と離間して配置されたアース導体が備えられ、
前記信号コイル導体と前記浮きコイル導体との間の静電容量による第１キャパシタ部が形成され、
前記浮きコイル導体と前記アース導体との間の静電容量による第２キャパシタ部が形成されていることを特徴とするＬＣ複合フィルタ部品。
【請求項２】
前記積層体が、前記浮きコイル導体と前記アース導体との間に、前記絶縁材料の表面に形成されて前記アース導体と接続するインダクタ導体を備えていることを特徴とする請求項１に記載のＬＣ複合フィルタ部品。
【発明の詳細な説明】
【技術分野】
【０００１】
本発明は、電子機器などのノイズを除去するフィルタとして機能するインダクタとキャパシタとを備えたＬＣ複合フィルタ部品に関する。
【背景技術】
【０００２】
電子機器などのノイズを除去するフィルタとして用いられ、インダクタ（コイル部）とキャパシタ（コンデンサ部）とを複合してモノリシック構造としたＬＣ複合部品が知られている。
従来、この種のＬＣ複合部品は、誘電体材料と磁性体材料との混合材料の表面に導体を形成し、これを積層することによって形成されたインダクタ及びキャパシタにより構成されている。この場合、インダクタ及びキャパシタとなる導電膜（内部導体）を形成した層は、積層体の中間層に配置された構成となっている（例えば、特許文献１参照）。
【特許文献１】特開平５−１０９９２３号公報（図１）
【発明の開示】
【発明が解決しようとする課題】
【０００３】
近年、このようなＬＣ複合フィルタ部品において、より高速の信号ラインに適応することが求められている。しかしながら、上記従来のＬＣ複合フィルタ部品において、静電容量成分が大きいため、高速の信号ラインに用いると信号の波形がひずみ易いという問題がある。
【０００４】
本発明は、前述の課題に鑑みてなされたもので、静電容量成分が小さく、高速の信号ラインに適応可能なＬＣ複合フィルタ部品を提供することを目的とする。
【課題を解決するための手段】
【０００５】
本発明は、前記課題を解決するために以下の構成を採用した。すなわち、本発明のＬＣ複合フィルタ部品は、複数の絶縁材料を積層して構成された積層体と、該積層体の外面に形成された一対の信号端子電極及び一対のアース端子電極とを備え、前記積層体の内部に、前記複数の絶縁材料の表面に形成された導体コイルパターンによって構成されて両端が前記一対の信号端子電極にそれぞれ接続するコイル導体である信号コイル導体と、前記複数の絶縁材料の表面に形成された導体コイルパターンによって構成されて前記信号コイル導体と離間して配置された浮きコイル導体と、前記絶縁材料の表面に形成され前記浮きコイル導体と離間して配置されたアース導体が備えられ、前記信号コイル導体と前記浮きコイル導体との間の静電容量による第１キャパシタ部が形成され、前記浮きコイル導体と前記アース導体との間の静電容量による第２キャパシタ部が形成されていることを特徴とする。
【０００６】
この発明にかかるＬＣ複合フィルタ部品によれば、信号コイル導体と浮きコイル導体とを離間して配置することによって第１キャパシタ部が形成され、浮きコイル導体とアース導体とを離間して配置することによって第２キャパシタ部が形成される。これにより、１対の信号端子電極とアース端子電極との間で第１キャパシタ部と第２キャパシタ部とが、直列に配置されることになる。したがって、ＬＣ複合フィルタ部品の静電容量値である、信号端子電極とアース端子電極との間の静電容量値が、第１コンデンサ部の静電容量値及び第２キャパシタ部の静電容量値の合成容量となるので、第１及び第２キャパシタ部の静電容量値よりも小さくなる。この結果、信号端子電極から高速の信号を入力しても、静電容量値が小さいので、入力された信号の波形のひずみを抑制することができる。
【０００７】
また、本発明にかかるＬＣ複合フィルタ部品は、前記積層体が、前記浮きコイル導体と前記アース導体との間に、前記絶縁材料の表面に形成されて前記アース導体と接続するインダクタ導体を備えていることが好ましい。
この発明にかかるＬＣ複合フィルタ部品によれば、浮きコイル導体とアース導体との間に浮きコイル導体と重なりをもち、アース導体と接続するインダクタ導体を設けることによって、浮きコイルとインダクタ導体との間に第２キャパシタ部が形成される。これにより、浮きコイルが、第２キャパシタ部及びインダクタ部を介してグラウンドに接続される。ここで、第２キャパシタ部の一方の電極を構成し、アース電極と接続するインダクタ部のインダクタンスを適宜調整することにより、ＬＣ複合フィルタの遮断帯域や、減衰量の調整、共振点の深さを容易に設定することができる。
【発明の効果】
【０００８】
本発明のＬＣ複合フィルタ部品によれば、浮きコイル導体とアース導体とを離間して配置することによって、第２キャパシタ部が形成される。これにより、ＬＣ複合フィルタ部品の静電容量値は、第１キャパシタ部の静電容量値及び第２キャパシタ部の静電容量値よりも小さくなる。したがって、信号端子電極に高速の信号が入力しても、この信号の波形のひずみを抑制するので、高速の信号に適用することができる。
【発明を実施するための最良の形態】
【０００９】
以下、本発明によるＬＣ複合フィルタ部品の第１の実施形態を図面に基づいて説明する。なお、本実施形態では、３端子型ノイズフィルタに適用したものであり、図１は、本実施形態におけるＬＣ複合フィルタ部品におけるＬＣ複合フィルタ部品の分解斜視図、図２は、図１の完成状態を示すＬＣ複合フィルタ部品の外観斜視図であり、図３は、その等価回路図である。
【００１０】
図１及び図２において、ＬＣ複合フィルタ部品は、シート状とした複数枚の絶縁材料を積層して一体化した構成とされる。また、ほぼ直方体形状の積層体としたＬＣ複合フィルタ部品の対向する２側面には、後述する信号コイル導体４１と接続されている一対の信号端子電極１１、１２が設けられており、ＬＣ複合フィルタ部品の他の対向する２側面には、後述するアース導体３８と接続されている一対のアース端子電極１３、１４が設けられている。
【００１１】
複数枚の絶縁材料を積層して一体化した積層体１０は、１層の絶縁材料で形成された第１カバー層１５、第１から第８絶縁材料２１〜２８、１層の絶縁材料で形成された第２カバー層１６の順に上からシート状の絶縁材料を１０層に積層した構成とされる。ここで、絶縁材料としては、誘電体材料が用いられている。
なお、第１及び第２カバー層１５、１６は、上述した１層に限定されることはなく、２層以上であってもよい。
【００１２】
第１から第８絶縁材料２１〜２８には、それぞれの上面に第１から第６コイル導体パターン３１〜３６、インダクタ導体３７及びアース導体３８が設けられている。この第１から第３コイル導体パターン３１〜３３を接続することにより、信号コイル導体４１が形成され、第４から第６コイル導体パターン３４〜３６を接続することにより、浮きコイル導体４２が形成される。
なお、これらの第１から第６コイル導体パターン３１〜３６、インダクタ導体３７及びアース導体３８は、例えば銀などの導電体を印刷やメッキなどの周知の手法により形成したものである。
【００１３】
このうち、第１コイル導体パターン３１は、ほぼコの字状の導体パターンであって、第１絶縁材料２１の上面に形成されている。そして、第１コイル導体パターン３１の一方の端部には、信号端子電極１１に接続される引出電極３１ａが形成されている。また、第１コイル導体パターン３１の他方の端部には、第１及び第２絶縁材料２１、２２を貫通する第１及び第２スルーホールＨ１、Ｈ２がそれぞれ設けられている。
【００１４】
また、第２コイル導体パターン３２は、第１コイル導体パターン３１と同様に、第３絶縁材料２３の上面に形成され、ほぼコの字状となっている。そして、第２コイル導体パターン３２の一方の端部は、第１及び第２スルーホールＨ１、Ｈ２を介して上述した第１絶縁材料２１の上面に形成されている第１コイル導体パターン３１と電気的に接続されている。また、第２コイル導体パターン３２の他方の端部には、第３及び第４絶縁材料２３、２４を貫通する第３及び第４スルーホールＨ３、Ｈ４がそれぞれ設けられている。
【００１５】
また、第３コイル導体パターン３３は、第１及び第２コイル導体パターン３１、３２と同様に、第５絶縁材料２５の上面に形成され、ほぼコの字状となっている。そして、第３コイル導体パターン３３の一方の端部は、第３及び第４スルーホールＨ３、Ｈ４を介して上述した第３絶縁材料の上面に形成されている第２コイル導体パターン３２と電気的に接続されている。また、第３コイル導体パターン３３の他方の端部には、信号端子電極１２に接続される引出電極３３ａが形成されている。
以上より、第１から第３コイル導体パターン３１〜３３が、電気的に接続されて信号コイル導体４１を形成する。
【００１６】
一方、第４コイル導体パターン３４は、第１から第３コイル導体パターン３１〜３３と同様に、第２絶縁材料２２の上面に形成され、ほぼコの字状となっている。そして、第４コイル導体パターン３４の一方の端部には、第２及び第３絶縁材料２２、２３を貫通する第５及び第６スルーホールＨ５、Ｈ６がそれぞれ設けられている。
【００１７】
また、第５コイル導体パターン３５は、第１から第４コイル導体パターン３１〜３４と同様に、第４絶縁材料２４の上面に形成され、ほぼコの字状となっている。そして、第５コイル導体パターン３５の一方の端部は、第５及び第６スルーホールＨ５、Ｈ６を介して上述した第２絶縁材料２２の上面に形成されている第４コイル導体パターン３４と電気的に接続されている。また、第５コイル導体パターン３５の他方の端部には、第４及び第５絶縁材料２４、２５を貫通する第７及び第８スルーホールＨ７、Ｈ８がそれぞれ設けられている。
【００１８】
また、第６コイル導体パターン３６は、第１から第５コイル導体パターン３１〜３５と同様に、第６絶縁材料２６の上面に形成され、ほぼコの字状となっている。そして、第６コイル導体パターン３６の一方の端部は、第７及び第８スルーホールＨ７、Ｈ８を介して上述した第４絶縁材料２４の上面に形成されている第５コイル導体パターン３５と電気的に接続されている。
以上より、第４から第６コイル導体パターン３４〜３６が、電気的に接続されて浮きコイル導体４２を形成する。なお、この浮きコイル導体４２の渦巻き方向は、上述した信号コイル導体４１と同一方向となるように形成されている。
【００１９】
ここで、第１から第６コイル導体パターン３１〜３６において、それぞれのコイル導体パターンの一部である導体パターン３１ｂ、３３ｂ、３４ａ、３６ａが、上面視において重なるように形成されている。この互いに重なった部分の静電容量によって図３に示す、第１キャパシタ部４５が形成される。
なお、第１キャパシタ部４５の静電容量値は、互いに重なった導体パターン３１ｂ、３３ｂ、３４ａ、３６ａの線幅などの形状を適宜変更することで調整可能に構成されている。
【００２０】
一方、インダクタ導体３７は、第１から第６コイル導体パターン３１〜３６と同様に、第７絶縁材料２７の上面に形成され、ほぼコの字状となっている。そして、インダクタ導体３７の一方の端部には、第７絶縁材料２７を貫通する第９スルーホールＨ９が設けられている。
なお、インダクタ導体３７は、上面視において第６絶縁材料２６の上面に形成された第６コイル導体パターン３６と重なるように形成されており、互いに重なった部分の静電容量により図３に示す、第２キャパシタ部４６が形成される。
この第２キャパシタ部４６の静電容量値は、互いに重なった第６コイル導体パターン３６とインダクタ導体３７との線幅などの形状を適宜変更することで調整可能に構成されている。
【００２１】
そして、アース導体３８は、第８絶縁材料２８の上面に形成され、ほぼ矩形状となっている。そして、アース導体３８の一方の端部には、アース端子電極１３に接続される引出電極３８ａが形成されている。また、アース導体３８の他方の端部には、アース端子電極１３に接続される引出電極３８ｂが形成されている。また、このアース導体３８は、第９スルーホールＨ９を介して上述した第７絶縁材料２７の上面に形成されているインダクタ導体３７と電気的に接続されている。
このように、インダクタ導体３７とアース導体３８とが接続されていることで、図３に示す、インダクタ部４７が形成される。
なお、インダクタ部４７のインダクタンスは、インダクタ導体３７の線幅などの形状を適宜変更することで調整可能に構成されている。
【００２２】
このように構成されたＬＣ複合フィルタ部品は、図３に示すように、その等価回路において、グラウンドと浮きコイル導体４２との間に、第２キャパシタ部４６及びインダクタ部４７が形成されている。したがって、本実施形態のＬＣ複合フィルタは、その等価回路において浮きコイル導体４２が直接グラウンドに接続された分布定数型のＬＣ複合フィルタ部品とは異なるものである。
【００２３】
以上のように構成された本発明のＬＣ複合フィルタ部品について、以下にその製造方法を説明する。
最初に、誘電体材料粉末に有機バインダ、有機溶剤及び分散剤を加えて、ドクターブレード法によってグリーンシートを作成し、所定の形状（例えば、矩形状）としたシート状の第１及び第２カバー層１５、１６と第１から第８絶縁材料２１〜２８とを製作する。次に、第１から第５絶縁材料２１〜２５及び第７絶縁材料２７の所定位置に、レーザ、パンチングなどの周知の手法を用いて穴あけ加工を施し、第１から第９スルーホールＨ１〜Ｈ９を設ける。
【００２４】
次に、第１から第８絶縁材料２１〜２８の上面に第１から第６コイル導体パターン３１〜３６、インダクタ導体３７及びアース導体３８を、例えば銀などの導電ペーストを用いた印刷や転写などの周知の手法を用いて互いに短絡しないように形成する。
【００２５】
このとき、第１コイル導体パターン３１の一端には引出電極３１ａが、第３コイル導体パターン３３の一端には引出電極３３ａが、それぞれ一体に連続して形成されている。また、第１から第９スルーホールＨ１〜Ｈ９には、スルーホールを設けた絶縁材料に形成される導体と一体的に連続するような銀などの導電材料が充填される。なお、スルーホールを介して接続される絶縁材料上に形成された導体とは、導体側に図示しない凸状の電極部を設けるなどしてスルーホールの導電体に接触させ、電気的に接続されるようになっている。
【００２６】
次に、第１及び第２カバー層１５、１６と第１から第８絶縁材料２１〜２８とを積層し、プレスにより熱圧着することで積層体１０を形成する。そして、これを９００℃で焼成して、銀を用いて信号端子電極１１、１２及びアース端子電極１３、１４を形成し、Ｎｉ（ニッケル）、Ｓｎ（スズ）によってメッキ膜を形成することによって完成する。
【００２７】
次に、このＬＣ複合フィルタ部品の周波数１０６Ｈｚ〜１０１０Ｈｚにおける挿入損失特性を図４に示す。
第１共振点よりも周波数の高い第２共振点の周波数は、主にアース導体３８に接続するインダクタ導体３７によって形成されるインダクタ部４７のインダクタンスによって調整される。したがって、インダクタ部４７のインダクタンスを適宜設定することにより、第２共振点の周波数の高低を設定することができる。
なお、第１及び第２共振点の周波数は、第１及び第２キャパシタ部４５、４６の静電容量値を調整することによっても設定することができる。
また、本実施形態では、ＬＣ複合フィルタ部品が、第１及び第２共振点を有しているが、インダクタ部４７のインダクタンスを調整することによって、第２共振点の周波数を第１共振点の周波数に一致させることもでき、これにより、共振点における減衰量を設定することができる。
【００２８】
このように構成されたＬＣ複合フィルタ部品は、グラウンドに接続されるアース導体３８と浮きコイル導体４２との間に第２キャパシタ部４６が形成されるので、その等価回路において、第１キャパシタ部４５と第２キャパシタ部４６とが直列接続になる。このようにすることで、ＬＣ複合フィルタ部品の静電容量値が、第１キャパシタ部４５と第２キャパシタ部４６との合成容量値となるので、第１キャパシタ部４５または第２キャパシタ部４６の静電容量値よりも低くすることができる。したがって、高速の信号が入力されたときの波形のひずみを抑制することができる。
【００２９】
また、アース導体３８に接続するインダクタ導体３７によって形成されるインダクタ部４７のインダクタンスを適宜設定することによって、ＬＣ複合フィルタ１０の遮断帯域や、減衰量の調整、共振点の深さを容易に設定することができる。
【００３０】
次に、第２の実施形態について図５及び図６を参照しながら説明する。
なお、ここで説明する実施形態はその基本的構成が上述した第１の実施形態と同様であり、上述の第１の実施形態に別の要素を付加したものである。したがって、図５及び図６においては、図１及び図３と同一構成要素に同一符号を付し、この説明を省略する。
【００３１】
第２の実施形態と第１の実施形態との異なる点は、第１の実施形態におけるＬＣ複合フィルタ部品では、浮きコイル導体４２とグラウンドとの間に、アース電極３８が１つ設けられており、このアース電極３８と浮きコイル導体４２との間にはインダクタ導体３７によって形成されたインダクタ部４７が設けられた構成であるのに対して、第２の実施形態におけるＬＣ複合フィルタ部品では、浮きコイル導体とグラウンドとの間には２つのアース電極が設けられている点である。
【００３２】
すなわち、積層体５０は、第１カバー層１５、第１から第１１絶縁材料６１〜７１、第２カバー層１６の順に上からシート状の絶縁材料を１３層積層した構成とされる。
第１及び第１１絶縁材料６１、７１には、それぞれ上面に第１及び第２アース導体７５、７６が形成されている。また、第３、５、７、９絶縁材料６３、６５、６７、６９には、それぞれ上面に第１から第４コイル導体パターン８１〜８４が形成されている。そして、第２、４、６、８、１０絶縁材料６２、６４、６６、６８、７０には、それぞれ上面に第５から第９コイル導体パターン８５〜８９が形成されている。
【００３３】
このうち、第１コイル導体パターン８１は、コの字状の導体パターンであって、第３絶縁材料６３の上面に形成されている。そして、第１コイル導体パターン８１の一方の端部には、信号端子電極１１に接続される引出電極８１ａが形成されている。また、第１コイル導体パターン８１の他方の端部には、第３及び第４絶縁材料６３、６４を貫通する第１及び第２スルーホールＨ１１、Ｈ１２がそれぞれ設けられている。
【００３４】
また、第２コイル導体パターン８２は、第１コイル導体パターン８１と同様に、第５絶縁材料６５の上面に形成されている。そして、第２コイル導体パターン８２の一方の端部は、第１及び第２スルーホールＨ１１、Ｈ１２を介して上述した第３絶縁材料６３の上面に形成されている第１コイル導体パターン８１と電気的に接続されている。また、第２コイル導体パターン８２の他方の端部には、第５及び第６絶縁材料６５、６６を貫通する第３及び第４スルーホールＨ１３、Ｈ１４がそれぞれ設けられている。
【００３５】
また、第３コイル導体パターン８３は、第１及び第２コイル導体パターン８１、８２と同様に、第７絶縁材料６７の上面に形成されている。そして、第３コイル導体パターン８３の一方の端部は、第３及び第４スルーホールＨ１３、Ｈ１４を介して上述した第５絶縁材料６５の上面に形成されている第２コイル導体パターン８２と電気的に接続されている。また、第３コイル導体パターン８３の他方の端部には、第７及び第８絶縁材料６７、６８を貫通する第５及び第６スルーホールＨ１５、Ｈ１６がそれぞれ設けられている。
【００３６】
また、第４コイル導体パターン８４は、第１から第３コイル導体パターン８１〜８３と同様に、第９絶縁材料６９の上面に形成されている。そして、第４コイル導体パターン８４の一方の端部は、第５及び第６スルーホールＨ１５、Ｈ１６を介して上述した第７絶縁材料６７の上面に形成されている第３コイル導体パターン８３と電気的に接続されている。また、第４コイル導体パターン８４の他方の端部には、信号端子電極１１に接続される引出電極８４ａが形成されている。
以上より、第１から第４コイル導体パターン８１〜８４が電気的に接続されて信号コイル導体９１が形成される。
【００３７】
一方、第５コイル導体パターン８５は、第１から第４コイル導体パターン８１〜８４と同様に、第２絶縁材６２の上面に形成されている。そして、第５コイル導体パターン８５の一方の端部には、第２及び第３絶縁材料６２、６３を貫通する第７及び第８スルーホールＨ１７、Ｈ１８がそれぞれ設けられている。
【００３８】
また、第６コイル導体パターン８６は、第１から第５コイル導体パターン８１〜８５と同様に、第４絶縁材料６４の上面に形成されている。そして、第６コイル導体パターン８６の一方の端部は、第７及び第８スルーホールＨ１７、Ｈ１８を介して上述した第２絶縁材６２の上面に形成されている第５コイル導体パターン８５と電気的に接続されている。また、第６コイル導体パターン８６の他方の端部には、第４及び第５絶縁材料６４、６５を貫通する第９及び第１０スルーホールＨ１９、Ｈ２０がそれぞれ設けられている。
【００３９】
また、第７コイル導体パターン８７は、第１から第６コイル導体パターン８１〜８６と同様に、第６絶縁材料６６の上面に形成されている。そして、第７コイル導体パターン８７の一方の端部は、第９及び第１０スルーホールＨ１９、Ｈ２０を介して上述した第４絶縁材料６４の上面に形成されている第６コイル導体パターン８６と電気的に接続されている。また、第７コイル導体パターン８７の他方の端部には、第６及び第７絶縁材料６６、６７を貫通する第１１及び第１２スルーホールＨ２１、Ｈ２２がそれぞれ設けられている。
【００４０】
また、第８コイル導体パターン８８は、第１から第７コイル導体パターン８１〜８７と同様に、第８絶縁材料６８の上面に形成されている。そして、第８コイル導体パターン８８の一方の端部は、第１１及び第１２スルーホールＨ２１、Ｈ２２を介して上述した第６絶縁材料６６の上面に形成されている第７コイル導体パターン８７と電気的に接続されている。また、第８コイル導体パターン８８の他方の端部には、第８及び第９絶縁材料６８、６９を貫通する第１３及び第１４スルーホールＨ２３、Ｈ２４がそれぞれ設けられている。
【００４１】
また、第９コイル導体パターン８９は、第１から第８コイル導体パターン８１〜８８と同様に、第１０絶縁材料７０の上面に形成されている。そして、第９コイル導体パターン８９の一方の端部は、第１３及び第１４スルーホールＨ２３、Ｈ２４を介して上述した第８絶縁材料６８の上面に形成されている第８コイル導体パターン８８と電気的に接続されている。
以上より、第５から第９コイル導体パターン８５〜８９が電気的に接続されて浮きコイル導体９２が形成される。なお、この浮きコイル導体９２の渦巻き方向は、上述した信号コイル導体９１と同一方向となるように形成されている。
【００４２】
ここで、第１から第８コイル導体パターン８１〜８８において、それぞれのコイル導体パターンの一部である導体パターン８１ｂ、８２ａ、８３ａ、８４ｂ、８５ａ〜８９ａが、上面視において重なるように形成されており、互いに重なった部分の静電容量により図６に示す、第１キャパシタ部９５が形成される。
なお、第１キャパシタ部９５の静電容量値は、上述と同様に、互いに重なった導体パターン８１ｂ、８２ａ、８３ａ、８４ｂ、８５ａ〜８９ａの線幅などの形状を適宜変更することで調整可能に構成されている。
【００４３】
第１及び第２アース導体７５、７６は、それぞれ第１及び第１１絶縁材料６１、７１の上面に形成されている。そして、第１及び第２アース導体７５、７６それぞれの一方の端部には、アース端子電極１３、１４にそれぞれ接続される引出電極７５ａ、７５ｂが形成されている。また、第１及び第２アース導体７５、７６それぞれの他方の端部には、アース導体７５と同様に、アース端子電極１３、１４にそれぞれ接続される引出電極７６ａ、７６ｂが形成されている。
ここで、第１アース導体７５と第５コイル導体パターン８５とによってキャパシタ９６が形成され、第２アース導体７６と第９コイル導体パターン８９とによってキャパシタ９７が形成される。このキャパシタ９６、９７によって第２キャパシタ部９８が構成される。
なお、第２キャパシタ部９８の静電容量値は、上述と同様に、互いに重なった第１アース導体７５と第５コイル導体パターン８５との線幅などの形状を適宜変更することや、第２アース導体７６と第９コイル導体パターン８９との線幅などの形状を適宜変更することによって調整可能に構成されている。
【００４４】
このように構成されたＬＣ複合フィルタ部品は、上述した第１の実施形態におけるＬＣ複合フィルタ部品と同様の作用、効果を有する。また、このような構成とすることで方向性を持たないＬＣ複合フィルタ部品が可能となる。
【００４５】
次に、第３の実施形態について図７及び図８を参照しながら説明する。
なお、ここで説明する実施形態はその基本的構成が上述した第１の実施形態と同様であり、上述の第１の実施形態に別の要素を付加したものである。したがって、図７及び図８においては、図１及び図３と同一構成要素に同一符号を付し、この説明を省略する。
【００４６】
第３の実施形態と第１の実施形態との異なる点は、第１の実施形態におけるＬＣ複合フィルタ部品では、信号コイル導体４１及び浮きコイル導体４２が第１から第８絶縁材料２１〜２８の積層方向に平行な軸線を有するように螺旋状に巻回された構成であるのに対して、第３の実施形態におけるＬＣ複合フィルタ部品では、信号コイル導体及び浮きコイル導体が、各絶縁材料の積層方向と垂直な軸線を有するように螺旋状に巻回されている点である。
【００４７】
すなわち、積層体１００は、第１カバー層１５、第１から第５絶縁材料１１１〜１１５、第２カバー層１６の順に上からシート状の絶縁材料を７層積層した構成とされる。
第１及び第２絶縁材料１１１、１１２には、それぞれ上面に第１から第９導体ライン１２１〜１２９が形成されている。また、第３及び第４絶縁材料１１３、１１４には、それぞれ上面に第１０から第１８導体ライン１３０〜１３８が形成されている。また、第５絶縁材料１１５には、上面にアース導体１３９が形成されている。
【００４８】
このうち、第１から第４導体ライン１２１〜１２４は、直線状の導体パターンであって、第１絶縁材料１１１の上面に形成されている。そして、第１から第４導体ライン１２１〜１２４の両端には、第１絶縁材料１１１を貫通する第１から第８スルーホールＨ３１〜Ｈ３８がそれぞれ設けられている。
また、第５から第９導体ライン１２５〜１２９は、上述した第１から第４導体ライン１２１〜１２４と同様に、第２絶縁材料１１２の上面に形成されている。そして、第５導体ライン１２５の一方の端部には、信号端子電極１１に接続される引出電極１２５ａが形成され、第９導体ライン１２９の一方の端部には、信号端子電極１２に接続される引出電極１２９ａが形成されている。
なお、上述した第１から第９導体ライン１２１〜１２９と第１から第８スルーホールＨ３１〜Ｈ３８とは、対向して配置される一対の信号端子電極１１、１２が形成される２側面に対して垂直となる方向に軸線を有する螺旋形状となるように接続されている。
以上より、第１から第９導体ライン１２１〜１２９が電気的に接続されて信号コイル導体１４１が形成される。
【００４９】
一方、第１０から第１３導体ライン１３０〜１３３は、上述した第１から第９導体ライン１２１〜１２９と同様に、第３絶縁材料１１３の上面に形成されている。そして、第１０から第１３導体ライン１３０〜１３３の両端には、第３絶縁材料１１３を貫通する第９から第１６スルーホールＨ３９〜Ｈ４６がそれぞれ設けられている。
また、第１４から第１８導体ライン１３４〜１３８は、上述した第１から第１３導体ライン１２１〜１３３と同様に、第４絶縁材料１１４の上面に形成されている。
なお、上述した第１０から第１８導体ライン１３０〜１３８と第９から第１６スルーホールＨ３９〜Ｈ４６とは、上述した第１から第９導体ライン１２１〜１２９と同様に、対向した配置される一対の信号端子電極１１、１２が形成される２側面に対して垂直となる方向に軸線を有する螺旋形状となるように接続されている。
以上より、第１０から第１８導体ライン１３０〜１３８が電気的に接続されて浮きコイル導体１４２が形成される。
【００５０】
ここで、第５から第９導体ライン１２５〜１２９と第１０から第１３導体ライン１３０〜１３３との一部が、上面視において重なるように形成されており、互いに重なった部分の静電容量により図８に示す、第１キャパシタ部１４５が形成される。
なお、なお、第１キャパシタ部１４５の静電容量値は、上述と同様に、互いに重なった第５から第９導体ライン１２５〜１２９と第１０から第１３導体ライン１３０〜１３３との線幅などの形状を適宜変更することで調整可能に構成されている。
【００５１】
アース導体１３９は、第５絶縁材料１１５の上面に形成されており、上面視において第１４から第１８導体ライン１３４〜１３８と重なるように構成されている。
そして、アース導体１３９の一方の端部には、アース端子電極１３に接続される引出電極１３９ａが形成され、他方の端部には、アース端子電極１４に接続される引出電極１３９ｂが形成されている。
ここで、アース導体１３９と第１４から第１８導体ライン１３４〜１３８とによって第２キャパシタ部１４６が形成される。
【００５２】
このように構成されたＬＣ複合フィルタ部品は、上述した第１の実施形態と同様の作用、効果を有する。
【００５３】
なお、本発明は上記実施形態に限定されるものではなく、本発明の趣旨を逸脱しない範囲において種々の変更を加えることが可能である。
例えば、上述したＬＣ複合フィルタ部品は、上述した構成のものを複数組並べて、アレイ化することも可能である。
【図面の簡単な説明】
【００５４】
【図１】本発明にかかる第１の実施形態におけるＬＣ複合フィルタ部品を示す分解斜視図である。
【図２】本発明にかかる第１の実施形態におけるＬＣ複合フィルタ部品を示す外観斜視図である。
【図３】本発明にかかる第１の実施形態におけるＬＣ複合フィルタ部品を示す等価回路図である。
【図４】本発明にかかる第１の実施形態におけるＬＣ複合フィルタ部品の挿入損失の周波数特性を示すグラフである。
【図５】本発明にかかる第２の実施形態におけるＬＣ複合フィルタ部品を示す分解斜視図である。
【図６】本発明にかかる第２の実施形態におけるＬＣ複合フィルタ部品を示す等価回路図である。
【図７】本発明にかかる第３の実施形態におけるＬＣ複合フィルタ部品を示す分解斜視図である。
【図８】本発明にかかる第３の実施形態におけるＬＣ複合フィルタ部品を示す等価回路図である。
【符号の説明】
【００５５】
１０、５０、１００  積層体
１１、１２  信号端子電極
１３、１４  アース端子電極
２１、６１、１１１  第１絶縁材料
２２、６２、１１２  第２絶縁材料
２３、６３、１１３  第３絶縁材料
２４、６４、１１４  第４絶縁材料
２５、６５、１１５  第５絶縁材料
２６、６６  第６絶縁材料
２７、６７  第７絶縁材料
２８、６８  第８絶縁材料
３７  インダンクタ導体
３８、１３９  アース導体
４１、９１、１４１  信号コイル導体
４２、９２、１４２  浮きコイル導体
４５、９５、１４５  第１キャパシタ部
４６、９８、１４６  第２キャパシタ部
６９  第９絶縁材料
７０  第１０絶縁材料
７１  第１１絶縁材料
７５  第１アース導体
７６  第２アース導体
【図１】
2005260343.tif 000003
【図２】
2005260343.tif 000004
【図３】
2005260343.tif 000005
【図４】
2005260343.tif 000006
【図５】
2005260343.tif 000007
【図６】
2005260343.tif 000008
【図７】
2005260343.tif 000009
【図８】
2005260343.tif 000010